(57)【要約】【課題】  チャンネル部材を取り外し可能なチャンネル部材取外工具及び取り外し工法並びにルーバーシステムを提供すること。【解決手段】  底部２１及び一対のフランジ部２２の先に各々口部２３を有するチャンネル部材２０と、この口部２３をそれぞれ係合させる一対の係合部５ｂを有する受部５と、この受部からチャンネル部材を取り外すためのチャンネル部材取外工具１０とを備える。受部及びチャンネル部材は複数個間隔をおいて並べられてルーバーを形成する。取外工具の第一治具１５は第二治具１６から遠ざかるに従い間隔の広がる一対の斜面１５ｂを有する。第二治具は底部を保持する凹部１６ｂを有する。操作部１４の操作により第一、第二治具を近接させて受部５からチャンネル部材を取り外す。【選択図】    図５
2007247274.tif 000002
【特許請求の範囲】
【請求項１】
底部及び一対のフランジ部の先に各々口部を有するチャンネル部材と、この口部をそれぞれ係合させる一対の係合部を有する受部との組み合わせにおいて、この受部からチャンネル部材を取り外すためのチャンネル部材取外工具であって、
操作部の操作により近接離隔する一対の第一、第二治具を備え、第一治具は第二治具から遠ざかるに従い間隔の広がる一対の斜面を有し、第二治具は前記底部を保持する凹部を有し、第一、第二治具は一方がチャンネル部材を挿入可能に開口されており、前記凹部に前記底部を接当させると共に前記一対の斜面を前記一対の口部にそれぞれ接当させ、前記操作部の操作により前記第一、第二治具を近接させて受部からチャンネル部材を取り外すことを特徴とするチャンネル部材取外工具。
【請求項２】
前記第一、第二治具はスライド機構により互いに平行に近接離隔可能であることを特徴とする請求項１記載のチャンネル部材取外工具。
【請求項３】
前記操作部が支点を中心に開閉する一対のハンドルにより構成され、前記第二治具側に対する第二ハンドルの相対揺動幅よりも第一治具側に対する第一ハンドルの相対揺動幅を大きく設定したことを特徴とする請求項１又は２記載のチャンネル部材取外工具。
【請求項４】
請求項１〜３のいずれかに記載のチャンネル部材取外工具を用いたチャンネル部材の取り外し工法であって、前記凹部に前記底部を接当させると共に前記一対の斜面を前記一対の口部にそれぞれ接当させ、前記操作部の操作により前記第一、第二治具を近接させて受部からチャンネル部材を取り外すことを特徴とするチャンネル部材の取り外し工法。
【請求項５】
底部及び一対のフランジ部の先に各々口部を有するチャンネル部材と、この口部をそれぞれ係合させる一対の係合部を有する受部と、この受部からチャンネル部材を取り外すためのチャンネル部材取外工具とを備え、前記受部及び前記チャンネル部材は複数個間隔をおいて並べられてルーバーを形成し、前記チャンネル部材取外工具は、前記操作部の操作により近接離隔する一対の第一、第二治具を備え、第一治具は第二治具から遠ざかるに従い間隔の広がる一対の斜面を有し、第二治具は前記底部を保持する凹部を有し、第一、第二治具は一方がチャンネル部材を挿入可能に開口されており、前記凹部に前記底部を接当させると共に前記一対の斜面を前記一対の口部にそれぞれ接当させ、前記操作部の操作により前記第一、第二治具を近接させて受部からチャンネル部材を取り外し可能であることを特徴とするルーバーシステム。
【請求項６】
前記チャンネル部材が天井ルーバー又は壁面ルーバーであることを特徴とする請求項５に記載のルーバーシステム。
【発明の詳細な説明】
【技術分野】
【０００１】
本発明は、チャンネル部材取外工具及びこれを用いたチャンネル部材の取り外し工法並びにルーバーシステムに関する。さらに詳しくは、底部及び一対のフランジ部の先に各々口部を有するチャンネル部材と、この口部をそれぞれ係合させる一対の係合部を有する受部との組み合わせにおいて、この受部からチャンネル部材を取り外すためのチャンネル部材取外工具及びこれを用いたチャンネル部材の取り外し工法並びにルーバーシステム関する。
【背景技術】
【０００２】
天井や壁下地には次の非特許文献に示すように、野縁受が利用されている。しかし、その取り外し工具は存在していなかった。一方、天井下には配線や配管が敷設されるが、害獣の巣となり、そのメンテナンスの容易な着脱自在なルーバーシステムが望まれていた。
【非特許文献１】“内装材”、［ｏｎｌｉｎｅ］、株式会社ケーワン、Ｋ−ＷＡＮ  ＯＮＬＩＮＥ  製品紹介  内装材の特徴（全般）、［平成１８年３月１５日検索］、インターネット〈ＵＲＬ：http://www.k-wan.co.jp/seihin/naisouzai.html〉
【発明の開示】
【発明が解決しようとする課題】
【０００３】
本発明の第一の目的は、チャンネル部材を取り外し可能なチャンネル部材取外工具及びこれを用いたチャンネル部材の取り外し工法を提供することにある。
【０００４】
また、本発明の第二の目的は、チャンネル部材を取り外し可能なルーバーシステムを提供することにある。
【課題を解決するための手段】
【０００５】
上記第一の目的を達成するため、本発明に係るチャンネル部材取外工具の特徴は、底部及び一対のフランジ部の先に各々口部を有するチャンネル部材と、この口部をそれぞれ係合させる一対の係合部を有する受部との組み合わせにおいて、この受部からチャンネル部材を取り外すためものであって、
操作部の操作により近接離隔する一対の第一、第二治具を備え、第一治具は第二治具から遠ざかるに従い間隔の広がる一対の斜面を有し、第二治具は前記底部を保持する凹部を有し、第一、第二治具は一方がチャンネル部材を挿入可能に開口されており、前記凹部に前記底部を接当させると共に前記一対の斜面を前記一対の口部にそれぞれ接当させ、前記操作部の操作により前記第一、第二治具を近接させて受部からチャンネル部材を取り外すことにある。
【０００６】
前記第一、第二治具はスライド機構により互いに平行に近接離隔可能であるが望ましい。また、前記操作部が支点を中心に開閉する一対のハンドルにより構成され、前記第二治具側に対する第二ハンドルの相対揺動幅よりも第一治具側に対する第一ハンドルの相対揺動幅を大きく設定するとよい。
【０００７】
一方、上記いずれかの特徴に記載のチャンネル部材取外工具を用いたチャンネル部材の取り外し工法は、前記凹部に前記底部を接当させると共に前記一対の斜面を前記一対の口部にそれぞれ接当させ、前記操作部の操作により前記第一、第二治具を近接させて受部からチャンネル部材を取り外すことにある。
【０００８】
また、上記第二の目的を達成するため、本発明に係るルーバーシステムの特徴は、底部及び一対のフランジ部の先に各々口部を有するチャンネル部材と、この口部をそれぞれ係合させる一対の係合部を有する受部と、この受部からチャンネル部材を取り外すためのチャンネル部材取外工具とを備え、前記受部及び前記チャンネル部材は複数個間隔をおいて並べられてルーバーを形成し、前記チャンネル部材取外工具は、前記操作部の操作により近接離隔する一対の第一、第二治具を備え、第一治具は第二治具から遠ざかるに従い間隔の広がる一対の斜面を有し、第二治具は前記底部を保持する凹部を有し、第一、第二治具は一方がチャンネル部材を挿入可能に開口されており、前記凹部に前記底部を接当させると共に前記一対の斜面を前記一対の口部にそれぞれ接当させ、前記操作部の操作により前記第一、第二治具を近接させて受部からチャンネル部材を取り外し可能であることにある。なお、前記チャンネル部材は、例えば、天井ルーバー又は壁面ルーバーである。
【発明の効果】
【０００９】
上記本発明に係る特徴によれば、チャンネル部材を取り外し可能なチャンネル部材取外工具及びこれを用いたチャンネル部材の取り外し工法と、チャンネル部材を取り外し可能なルーバーシステムを提供することが可能となった。
本発明の他の目的、構成及び効果については、以下の発明の実施の形態の項から明らかになるであろう。
【発明を実施するための最良の形態】
【００１０】
次に、適宜添付図面を参照しながら、本発明をさらに詳しく説明する。
図３〜５に示す本発明に係るルーバーシステム１は、図１に示すルーバー構造２と図２に示すチャンネル部材取外工具１０とを備えている。図１に示すルーバー構造２は、例えば天井下のルーバー構造２であって、図示省略する天井板とチャンネル部材２０との間に配管や配線を収納する内部スペースＵを備えている。支持部材３は天井を支持する構造材であり、その下部に受部材４を固定し、受部材４に複数設けられて受部５にチャンネル部材２０を適宜嵌合させて、ルーバー構造２を構成している。そして、チャンネル部材２０をチャンネル部材取外工具１０により着脱することで、内部スペースＵの点検等を可能ならしめている。隣接するチャンネル部材２０、２０間の距離は、例えば鳥類が内部スペースＵに進入しないように、排除すべき害獣の大きさに応じて変更すればよい。
【００１１】
支持部材３，受部材４，チャンネル部材２０はいずれも亜鉛メッキ鋼板などを用いることができるが、その材料は環境と用途に応じて適宜変更が可能である。受部材４は支持部材３の長手方向に適宜間隔をおいて配置される。チャンネル部材２０は天井基礎構造材である野縁材等を用いることも可能である。チャンネル部材２０は底部２１と、その両側に位置する一対のフランジ部２２と、各フランジ部２２の先端に折り返し形成される口部２３とを備えている。受部５は受部材４にキノコ状に複数一体形成され、一対の斜面５ａと、各斜面５ａの根本に位置し各口部２３を係合させる係合部５ｂとを備えている。施工に際しては、支持部材３の下部に受部材４を適宜間隔で設け、各受部５に下側からチャンネル部材２０のフランジ部２２、２２間を被せて押し上げ、各斜面５ａで口部２３を係合部５ｂに係合させるように導く。なお、本発明はルーバー構造２としてのみならず、天井や内壁の下地材として用いることも可能である。
【００１２】
次に、チャンネル部材取外工具１０について図２〜５を参照しながら説明する。本発明に係るチャンネル部材取外工具１０は、治具部１１，スライド機構１２，支点１３と操作部であるハンドル１４を備えている。治具部１１は板状の第一治具１５，第二治具１６を備え、スライド機構１２により近接離隔移動可能に連結されている。さらに詳しくは、第一治具１５は、頂部１５ａとその両側に第二治具１６から遠ざかるに従い間隔の広がる一対の斜面１５ｂを備えている。第二治具１６は前記底部２１を保持する凹部１６ｂを備えている。この凹部１６ｂは一対の係支部１６ａの間に形成され、頂部１５ａとほぼ平行である。
【００１３】
第一治具１５，第二治具１６はその一方をスライド機構１２により連結され、他方がチャンネル部材２０を受け入れ可能に開口されている。スライド機構１２は第一治具１５に形成された１２ａ：長孔１２ａとこれを第二治具１６と共に貫通する貫通ネジ１２ｂとを備えている。そして、凹部１６ｂに前記底部２１を接当させると共に前記一対の斜面１５ｂ、１５ｂを前記一対の口部２３，２３にそれぞれ接当させ、ハンドル１４の操作により第一、第二治具第一治具１５，第二治具１６を近接させて受部５からチャンネル部材チャンネル部材２０を取り外す。
【００１４】
ハンドル１４はリンク１７及び連結ネジ１８を介して第一治具１５，第二治具１６と連結されている。ハンドル１４は支点１３で揺動可能な第一ハンドル１４ａ，第二ハンドル１４ｂよりなり、両者の中間にアジャスター１９を備え、それぞれがグリップ部１４ｇを有している。第一治具１５の下端にはリンク１７，第一連結部１８ａ，第二連結部１８ｂを介してハンドル１４が連結されている。また、第二治具１６には第二ハンドル１４ｂが第三連結部１８ｃを介して連結されている。そして、これらの構造により、前記第二治具１６側に対する第二ハンドル１４ｂの相対揺動幅よりも第一治具１５側に対する第一ハンドル１４ａの相対揺動幅を大きく設定することで、底部２１に対する第二治具１６のブレを低減させ、操作性の向上を図っている。
【００１５】
次に、図３〜５を参照しながらルーバー構造２におけるチャンネル部材２０の取り外し手順について説明する。まず、図３に示すように、チャンネル部材２０の長手方向に直交する方向にチャンネル部材取外工具１０の正面背面方向を向けてチャンネル部材２０，２０間にチャンネル部材取外工具１０を挿入する。次に、図４の如くチャンネル部材取外工具１０を９０度回転させて、開口部から第一治具１５，第二治具１６間にチャンネル部材２０を挿入する。そして、凹部１６ｂに底部２１を接当させて第一ハンドル１４ａ，第二ハンドル１４ｂを閉じることで第一治具１５を第二治具１６に近接させ、図５の如く口部２３，２３が受部５の最大幅よりも大きく開いたところでチャンネル部材２０を受部５から離脱させる。これにより、内部スペースＵの保守点検が可能であり、また、チャンネル部材２０を再度受部５に嵌合させることで、蓋をすることができる。
【００１６】
最後に、他の実施形態の可能性について言及する。
上記第一治具１５，第二治具１６は支点により揺動して開閉するようにすることもできる。但し、支点と第一治具１５，第二治具１６との距離が短ければ、第一治具１５の口部２３，２３間への進入は偏りを生じるので、狭いチャンネル部材２０，２０間への挿入・取り外し対応性も考慮すれば、第一治具１５，第二治具１６の支持機構はスライド機構が優れている。
【００１７】
上記受部５，チャンネル部材２０は上記形状に限られるものではなく、適宜変更が可能である。受部材４は例えば長手方向にそって湾曲等しても構わない。また、一カ所に受部５が近接して２枚並ぶように構成することも可能であるが、チャンネル部材取外工具１０によるチャンネル部材２０の受部５からの取り外し時においてなされる傾斜を考慮すれば、一箇所に受部５は一枚のみとするのが望ましい。
【産業上の利用可能性】
【００１８】
本発明は、チャンネル部材が着脱可能で再利用可能な天井ルーバー又は壁面ルーバーのルーバーシステムや、天井又は壁面の下地における取り外し工具及び取り外し工法として利用することができる。
【図面の簡単な説明】
【００１９】
【図１】ルーバーシステムの分解斜視図である。
【図２】チャンネル部材取外工具を示し、（ａ）は正面図、（ｂ）は側面図である。
【図３】チャンネル部材の取り外し前におけるルーバーシステムと工具との関係を示す図である。
【図４】チャンネル部材の取り外し時における工具でチャンネル部材をクランプする前の状態を示す図である。
【図５】チャンネル部材の取り外し時における工具でチャンネル部材をクランプしチャンネル部材を取り外す最中の状態を示す図である。
【符号の説明】
【００２０】
１：ルーバーシステム、２：ルーバー構造、３：支持部材、４：受部材、５：受部、５ａ：斜面、５ｂ：係合部、１０：チャンネル部材取外工具、１１：治具部、１２：スライド機構、１２ａ：長孔、１２ｂ：貫通ネジ、１３：支点、１４：ハンドル、１４ａ：第一ハンドル，１４ｂ：第二ハンドル、１４ｇ：グリップ部、１５：第一治具、１５ａ：頂部，１５ｂ：斜面、１６：第二治具、１６ａ：係支部、１６ｂ：凹部、１７：リンク、１８：連結ネジ、１８ａ：第一連結部、１８ｂ：第二連結部、１８ｃ：第三連結部、１９：アジャスター、２０：チャンネル部材、２１：底部、２２：フランジ部、２３：口部、Ｕ：内部スペース
【図１】
2007247274.tif 000003
【図２】
2007247274.tif 000004
【図３】
2007247274.tif 000005
【図４】
2007247274.tif 000006
【図５】
2007247274.tif 000007